(57)【特許請求の範囲】
【請求項１】
ＡＥＤ本体とみなす適宜平面形状を有する本体部と、前記本体部に内装された電源電池と該電池を電源とする電子回路と該電子回路に接続されて作動する少なくともスイッチ，ＬＥＤ，スピーカを備えた電子作動部と前記本体部から離隔して位置付けられるようにケーブルを介して前記電子回路に接続された開いた端子を備える電極パッドとを少なくとも備えて形成した模擬ＡＥＤと、前記電極パッドが貼付される部位に、導電材料を含んで形成した電極貼付位置が設けられた人体模型又は人体イラストと、
ブロック状の枕部材と該枕部材に凹状面を対面させて載架した断面が浅い円弧状で被覆層を有する鋼帯と該鋼帯が載架された前記枕部材を覆う固定カバーを備え、胸部圧迫動作の押圧力により前記鋼帯の断面形状が瞬間変形する破裂音と前記押圧力を除くことにより変形した前記断面形状が瞬間復元する破裂音を発する発音体を内部に備える疑似心臓体により形成したＡＥＤトレーニング装置であって、前記スイッチが入るとＬＥＤが作動し前記電子作動部が作動可能状態になり、前記電子回路に記録された前記電極パッド貼付の仕方と前記疑似心臓体による胸骨圧迫の仕方と電気ショックの付与の仕方を含む音声ガイドを前記スピーカから再生するようにしたことを特徴とするＡＥＤトレーニング装置。
【請求項２】
請求項１のＡＥＤトレーニング装置において、前記スイッチが入るとＬＥＤが作動し前記電子作動部が作動可能状態になり、前記電子回路に記録された前記電極パッド貼付の仕方の音声ガイドを前記スピーカから再生し、再生された音声ガイドに従って前記電極パッドを人体模型又は人体イラストの電極貼付位置に貼付すると前記電極パッドの開いた端子が閉じられて前記電子回路が音声ガイドを切換え、前記疑似心臓体による胸骨圧迫の仕方と電気ショックの付与の仕方を含む音声ガイドを前記スピーカから再生するようにしたことを特徴とするＡＥＤトレーニング装置。
【請求項３】
音声ガイドの再生に同期してＬＥＤが作動するようにした請求項１又は２に記載のＡＥＤトレーニング装置。
【請求項４】
疑似心臓体は、本体を発泡体の単層又は複層構造とした請求項１〜３のいずれかに記載のＡＥＤトレーニング装置。
【発明の詳細な説明】
【技術分野】
【０００１】
本発明は、疑似心臓体を用いた胸骨圧迫のトレーニングと併せて行われるＡＥＤの使用の仕方を練習するＡＥＤトレーニング装置に関する。
【背景技術】
【０００２】
近時、心肺停止状態になった傷病者を救命するために、自動体外式除細動器（Ａｕｔｏｍａｔｅｄ  Ｅｘｔｅｒｎａｌ  Ｄｅｆｉｂｒｉｌｌａｔｏｒ；以下ＡＥＤという）が、駅のホームや学校等の公共施設に設置されている。
【０００３】
上記のように広く世間一般に設置されるようになったＡＥＤに鑑み、ＡＥＤを使用した心肺蘇生法を教授する講習会等が開催される機会が多くなったが、従来のＡＥＤ使用のトレーニング方法には問題がある。
【０００４】
すなわち、従来のＡＥＤ使用のトレーニング法は、上半身の人体模型やシートや用紙に印刷された人体の上半身イラストと、心臓に電気ショックを与えるために人体胸部に貼着されるＡＥＤの電極シールの模型電極と、ＡＥＤの使用手順をイラスト（絵）と短文等で示した説明パネルから成るトレーニング装置を用いて、講師や指導者の説明に従って人体模型又はイラストの所定の部位（この部位は印刷等で明示されている）に前記の模型電極を貼着又は配置（貼着されない）する形態であった。換言すれば、前記模型電極を人体のどこに貼り付けるかは、実体験を伴ってトレーニングできるが、模型電極を貼付ける前や貼付け後におけるＡＥＤの操作やそのＡＥＤからどのような指示音声が出るかなどは講師等の説明があるだけで、実際のＡＥＤの操作やＡＥＤの反応や応答あるいはＡＥＤから音声で発される指示については、リアリティを伴うトレーニングはできていないのが現状である。
【０００５】
従来の心肺蘇生トレーニングがリアリティに欠ける理由は、実際のＡＥＤでは、使用時に電源をオンにすると、そのＡＥＤが備えたスピーカから操作の内容や操作手順等が音声でガイドされるが、上記トレーニング装置ではそのようなスピーカから再生される音声ガイドがないこと、並びに、トレーニング者が人体模型や人体イラストに模型電極を貼付乃至配置する動作をしても、その動作や貼付に応答乃至リンクした音声ガイドがないこと、にあると思われる。
【０００６】
また、従来の心肺蘇生トレーニングは疑似心臓体を用いて胸骨圧迫を習得することに重きが置かれた面があるため、ＡＥＤの使用方法の習得に力が注がれているとはいい難い面があった。因みに、従来、心肺蘇生のトレーニング器具として提案されている特許文献１や同２の発明では、ＡＥＤ使用のトレーニングは人体イラストと模型電極パッドを用いているだけで、疑似心臓体を用いた胸骨圧迫のトレーニングが主体になっている。
【先行技術文献】
【特許文献】
【０００７】
【特許文献１】Ｗ０２０１０／１４７１２９  パンフレット
【特許文献２】特開２０１３−５０７１０  公報
【発明の概要】
【発明が解決しようとする課題】
【０００８】
本発明は、上記のような心肺蘇生トレーニングの現状に鑑み、実際のＡＥＤの使用感、操作感を実感体得できるＡＥＤ使用方法、胸骨圧迫のトレーニング装置を提供することを、課題とする。
【課題を解決するための手段】
【０００９】
上記課題を解決することを目的としてなされた本発明ＡＥＤトレーニング装置の構成は、ＡＥＤ本体とみなす適宜平面形状を有する本体部と、前記本体部に内装された電源電池と該電池を電源とする電子回路と該電子回路に接続されて作動する少なくともスイッチ，ＬＥＤ，スピーカを備えた電子作動部と前記本体部から離隔して位置付けられるようにケーブルを介して前記電子回路に接続された開いた端子を備える電極パッドとを少なくとも備えて形成した模擬ＡＥＤと、前記電極パッドが貼付される部位に、導電材料を含んで形成した電極貼付位置が設けられた人体模型又は人体イラストと、ブロック状の枕部材と該枕部材の上下面に凹状面を対面させて載架した断面が浅い円弧状で被覆層を有する鋼帯と該鋼帯が載架された前記枕部材を覆う固定カバーを備え、胸部圧迫動作の押圧力により前記鋼帯の断面形状が瞬間変形する破裂音と前記押圧力を除くことにより変形した前記断面形状が瞬間復元する破裂音を発する発音体を内部に備える疑似心臓体により形成したＡＥＤトレーニング装置であって、前記スイッチが入るとＬＥＤが作動し前記電子作動部が作動可能状態になり、前記電子回路に記録された前記電極パッド貼付の仕方と前記疑似心臓体による胸骨圧迫の仕方と電気ショックの付与の仕方を含む音声ガイドを前記スピーカから再生するようにしたことを特徴とするものである。
本発明において、前記スイッチのオン、オフは蓋部の開閉に連動した自動動作タイプと手動動作タイプがあり、いずれを用いるかは任意である。また、ＬＥＤの動作も一瞬点灯して消えるパターン以外の点灯パターンや点灯・滅灯パターンを設定できる。
本発明では、上記電子作動部に代えて多機能携帯電話機（スマートフォン、以下、スマホという）やスマホに近い機能を備えた携帯情報端末を用いた形態のＡＥＤトレーニング装置とすることができる。
その一例としては、閉じた蓋部の下にＱＲコード（登録商標）等の視認コードを設けておき、蓋部を開けて露出した前記コードをスマホに読み取らせることにより、このスマホを前記電子回路のＩＣの記録内容と同じ内容を保持しているサーバにインターネットを介して接続し、前記サーバから電極パッドの貼り方を始めとするＡＥＤの使用方法などの音声ガイド等のデータを当該スマホに供給させ、そのデータにより前記音声ガイドをスマホのスピーカから再生させたりスマホの表示部を発光駆動させるようにするものがある。
【００１０】
本発明トレーニング装置は、上記構成において、再生される前記音声ガイドに従って前記電極パッドを人体模型又は人体イラストの電極貼付位置に貼付すると、前記電子回路が音声ガイドを切換えて次の音声ガイドを前記スピーカから再生するようにしたことを第二の特徴とする。このとき、前記電子回路により一瞬点灯して滅灯した前記ＬＥＤを点滅等の動作にすることが好ましい。前記の作動状態は、前記蓋部を閉じて上記スイッチがオフされることによって終了する。本発明トレーニング装置では、前記蓋部又は本体部がポケットを設け、該ポケットに電極パッド等を収容する。また、前記人体イラストは適宜大きさのシートや用紙等に印刷等によって形成してもよく、また前記模擬ＡＥＤと疑似心臓体とシート状の人体イラストを収容できるように形成した袋状や箱状等の適宜形態の格納容器の表面に印刷等によって形成することもできる。
【００１１】
実際のＡＥＤの使用では、ＡＥＤによる心室細動が除去されて心肺蘇生すれば胸骨圧迫は行われていない。しかし、ＡＥＤの適用によっても心肺蘇生しない場合には、胸骨圧迫が施される。そこで、本発明のＡＥＤトレーニング装置にも胸骨圧迫トレーニング用の疑似心臓体が付属しているので、以下に述べる。
【００１２】
すなわち、本発明トレーニング装置に付属した疑似心臓体は、一例として直径が１５ｃｍ〜２０ｃｍ程度、厚さが５ｃｍ〜１０ｃｍ程度の外形を呈する疑似心臓本体を合成樹脂発泡体によって形成すると共に、該本体の内部に、本体外部から押圧力を受けると変形して破裂音を生じる発音体を収容した構造体である。前記疑似心臓の構造体の寸法は一例であって本発明の疑似心臓体の外形寸法は他の任意の大きさであってもよい。
【００１３】
前記疑似心臓の構造体は、後述する図示した例では、前記発泡体を三層構造とし、中間層の発泡体に、発音体の収容空間部を形成し、該空間部に発音体を収設した構造である。本発明では、疑似心臓体の発泡体は三層構造に限られず一層や二層の発泡体で構成してもよい。いずれの層構造においても発泡体の内部に発音体を収設する空間が外部に通じて設けられていれば足りる。
【００１４】
前記発音体の一例は、断面が浅い円弧状で長さ１０ｃｍ程度の鋼帯の外面を柔軟プラスチック層で被覆した発音板材の2枚を、両板材の凹面を対面させて両端部を枕部材に載せ、該枕部材部分の全体を外面から被覆する固定カバーとから形成されている。
前記発音体の別例は、左右の枕部材を梁状連結部で一体に繋いだ形の横長略Ｈ状をなすベース体と、該ベース体の左右の枕部材に凹面を対向させて載架した鋼帯であって柔軟プラスチック層で被覆された鋼帯による発音板材と、前記鋼帯が載架された枕部材部分の全体を覆った固定カバーとから成る。
上記2つの発音体は、いずれも発音板材を形成する断面が浅い円弧状の鋼帯が上から押圧力を受けたとき、その鋼帯が自身の断面形状の保持限界を超えた瞬間に折れ曲がるように変形し、この瞬間折れ曲がり変形とその変形の瞬間復元が破裂音を発する発音機構を備えたものである。本発明の発音体は上記例のものに限られない。例えば押圧力やその力による部材の変形を機械―電気的に検出し、この検出に基づいて発音機構を発音作動させるものでもよい。
【００１５】
三層構造の発泡体は、前記中間層を挟む第一層と第三層の厚さに差を付けた構成を付与している。すなわち、中間層の収容空間に収めた発音体の網帯には、第一層の薄い発泡体を通して押圧力が加わるか、又は、第三層の厚い発泡体を通して押圧力が加わることにより、前記発音板材の網帯が変形して破裂音を発する。このとき、層の厚みが大きい方が前記発音板材の網帯を変形させるために要する押圧力が、厚みが小さい層の側からの押圧力よりも大きくなるから、本発明の疑似心臓体では、厚みが小さい第一層側を上面にしての圧迫を小児（未就学児）の心臓の圧迫に見立て、厚みが大きい第三層を上面にした圧迫を成人の心臓の圧迫に見立てることにしている。本発明疑似心臓体は、上記3層の発泡体を、ネオプレンゴム層を有する布地を外皮として被覆したり、或は3層の発泡体を接着等で積層一体化して塗装するなどして外観を整える。発泡体が単層又は2層の場合も略同様であるが、発音体の厚さ方向での埋設位置は前記3層の場合と同様に偏倚させる。なお、発音体の平面から見た位置は、発泡体の層構造に関係なく発泡体のほぼ中心である。
【発明の効果】
【００１６】
本発明では、ＡＥＤ本体とみなす適宜平面形状を有する本体部と、該本体部に対して開閉自在に設けた蓋部と、前記本体部に内装された電源電池と該電池を電源とする電子回路と該電子回路に接続されて作動する少なくともスイッチ、ＬＥＤ、スピーカを備えた電子作動部と、前記本体部から離隔して位置付けられるようにケーブルを介して前記電子回路に接続された電極パッドとを少なくとも備えて形成した模擬ＡＥＤと、前記電極パッドが貼付される部位に、導電材を含有した材料で形成した電極貼付位置が設けられた人体模型又は人体イラストと疑似心臓体によって形成したＡＥＤトレーニング装置であって、前記蓋部を開けると前記スイッチが入ってＬＥＤが一瞬点灯し前記電子作動部が作動状態になり、前記電子回路に記録された前記電極パッドの貼付の仕方などＡＥＤ使用方法等を音声ガイドでスピーカから再生するようにしてＡＥＤトレーニング装置としたから、実際のＡＥＤと同じ音声ガイドとそれに従う操作によってＡＥＤの使用トレーニングをすることができる。
また、本発明トレーニング装置に付属する胸骨圧迫トレーニング用の疑似心臓体は、その疑似心臓本体を発泡体によって形成すると共に、該本体の内部に、本体外部から押圧力を受けて破裂音を生じる発音体を収装した構造体としたから、疑似心臓体を両手を重ねて強く押圧する胸骨圧迫トレーニングにおいて必要な押圧力が加わる都度に発音があり、胸骨圧迫トレーニングをリアリティを以て体感することができる。なお、発音体は押圧力が足りないと発音しない。
【図面の簡単な説明】
【００１７】
【図１】本発明ＡＥＤトレーニング装置の一例において、蓋部を開ける途中の斜視図。
【図２】図１のトレーニング装置の使用態様を説明するための斜視図。
【図３】図１、図２の本発明トレーニング装置動作例を説明するための動作フロー図。
【図４】本発明トレーニング装置に付属した疑似心臓体を形成する三層発泡体の斜視図。
【図５】図４の発泡体の中間層に収装する発音体の一例の正断面図。
【図６】図５のＶＩ‐ＶＩ矢視断面図。
【図７】図４の発泡体と図５の発音体によって形成した疑似心臓体の一例の斜視図。
【発明を実施するための形態】
【００１８】
次に本発明の実施の形態例について、図を参照して説明する。図１、図２において、１は、実際のＡＥＤの外形に倣って形成した本発明トレーニング装置における本体部で、図の例では合成樹脂発泡体などの適宜材料で略パネル状に形成されている。本体部１をパネル状にするか、又は内部中空の略箱状などにするかは任意である。
【００１９】
２は、上記本体部１の下辺において蝶着２ａされることにより本体部１に対して開閉自在に配置した蓋部であり、図の例ではこの蓋部２の表面にポケット２ｂが設けられている。ポケット２ｂは後述する電極パッド３，４などの収容部である。
【００２０】
図示した前記蓋部２は、本体部１に対して蝶着２ａの部位で開閉自在であるが、本体部１が箱状や書類ケース状（図示せず）等であれば、その開口部に対して蓋部２を蝶着部材で開閉自在としたり、開口部に対して着脱自在の構成とすることができる。
【００２１】
上記の本体部１と蓋部２には、実際のＡＥＤと同様の着色や「模擬ＡＥＤ」や「ＡＥＤトレーニング器」などの表示をすることは任意である。また、本体部１にハンドルや提げ手１ａを設けることもある。
【００２２】
３、４は、本体部１に設けた後述する電子作動部５の電子回路５１にケーブル３ａ、４ａを経由して接続された電極パッドであり、該パッド３，４は、図１の分解構造図に一例として示すように、貼付位置のイラストが描かれた台紙ａと粘着シートｂと適宜の電極パターンが導電性インクで印刷された電極フィルムｃと保護フィルムｄとを積層して形成されている。前記電極フィルムｃの２つの電極パターンはリード線部を介してケーブル３ａ（４ａ）に接続されている。前記電極パターンは、後述する電子作動部５の適宜の回路を遮断する形で形成されており、この遮断電極は、後に述べる電極貼付位置を形成した導電印刷部に当接（又は近接）して遮断が閉じる（導通する）ようになっている。
本発明では前記導電性印刷に代えて金属箔やテープを含む金属板又は金属線を用いてもよい。また前記電極パッド３，４における電極パターンの遮断部（開いた端子）と導電性印刷部の電気的関係（接触・離反による回路の開閉）と同じように、前記遮断部を介した電子回路の開閉形態の例として前記電極パターンの遮断部（開いた端子）に光電反応スイッチ（光スイッチ）や機械的スイッチ等のスイッチを接続して設ける構成にできるこの構成では電極パッド３，４の電極貼付位置への貼着操作によって前記スイッチがオンし、剥離によってオフすることになる。なお、上記電極パッド３，４は台紙ａを用いず粘着シートｂの上面に貼着位置のイラストを表示したものでもよい。
【００２３】
図２において、５は本体部１の内部に設け電子作動部で、該電子作動部５は、一例として、ＩＣを備えたプリント基板による電子回路５１と該回路５１に接続された電源電池５２，ＬＥＤ５３，スピーカ５４，ボタンスイッチ５５などを備えている。
【００２４】
６１と６２は、前記電子作動部５をトレーニング作動可能の状態にするスイッチで、図示した２つのスイッチ６１，６２はいずれか一つあれば足りる。図の例では、蓋部２を開けると蓋部２の開き動作に連動してスイッチ６１がオンし、前記電子作動部５がトレーニング作動可能の状態となる。前記スイッチ６２は蓋部２の開閉に連動せずに手動操作でオン、オフされるタイプである。また、前記スイッチ６１、６２に代え、光センサの反応でオン、オフするタイプのスイッチを用いることができる。
なお、本発明では図示しないが例えば本体部1の裏面に電子作動部５の電源スイッチを設けて電子作動部５のスタンバイ状態、或はその解除をするようにしてもよい。そうすると電源スイッチがオンされない状態ではスイッチ６１又は６２がオン、オフ操作されても電子作動部５は作動できないから、前記スイッチ６１等の誤作動や電池の消耗等を防ぐことができる。なお、前記電源スイッチの設置場所は本体部１の裏面に限られるものではない。
【００２５】
前記作動部５がスタンバイ状態にあると、蓋部２を開けてスイッチ６１がオンされて一例としてＬＥＤ５３を一瞬点灯し、トレーニング者に装置がトレーニング作動可能の状態にあることを視認させてから、ＡＥＤの操作方法やパッドの貼り方などについて記録（録音）されているガイド音声をスピーカ５４から再生する。
【００２６】
図２において、７は人の上半身イラストＭｉを適宜のシート又は用紙などに印刷等によって形成した人体イラストシートで、当該イラストＭｉの胸部においてＡＥＤの電極を貼付すべき所定部位を電極貼付位置８，９として、導電材含有塗料などによって当該導電性電極８ａ，９ａが形成されている。なお、上記人体イラストシート７に代えて、模擬ＡＥＤや後述する疑似心臓体１０を収容する袋状、箱状など適宜形態の収容容器の表面に人体イラストＭｉを表示したものを使用でき、また、前記イラストシート7に代え膨脹型の上半身の人体模型を用いてもよい。
【００２７】
上記電極貼付位置８と９に対して、それぞれ電子回路５１に接続された電極パッド３，４の保護フィルムｄを剥がし、両パッド３，４を図２に例示するように、夫々の貼付位置８，９に貼付けると、前記パッド３とパッド４の夫々において、遮断（分離）して形成されている２つの電極端が貼付位置８，９の導電性電極８ａ，９ａによって導通することになる。
【００２８】
前記パッド３，４の電極端が夫々に導通されると、電子回路５１において、次のガイド音声がスピーカ５４から再生される。トレーニング者は、その再生される音声に従って必要な動作や操作を行う。
因みに、この段階で再生される音声ガイドは例えば「体に触らないでください」、「（ＡＥＤで）心電図を調べています」等である。
実際のＡＥＤでは、心電図の自動解析で電気ショックの必要がなければその旨のガイド音声（次の胸骨圧迫について等のガイド）がスピーカから出力される。
本発明装置はトレーニング装置であるから、心電図解析で電気ショックが必要と判断された前提で電気ショック付与に関するガイド音声がスピーカ５４から出力される。そこでトレーニング者は電気ショック付与用のスイッチに見立てたボタンスイッチ５５を押す。このスイッチ５５の操作により、実際には電極パッド３，４を通して人体に電気ショックが付与されることを、人体イラストＭｉ用いたトレーニングで習得できる。電気ショック付与のあと直ちに胸骨圧迫と人工呼吸を始めるべき旨のガイド音声がスピーカ５４から出力されるから、トレーニング者はそのガイド音声に従って疑似心臓体１０による胸骨圧迫のトレーニングを行う。なお胸骨圧迫のトレーニングについては後述する。
以上のようにして、ひと通りのＡＥＤの使用，操作のトレーニング、並びに疑似心臓体１０を用いた胸部圧迫のトレーニングが終了したら、蓋部２を閉じてスイッチ６１を自動的にオフにするか又はスイッチ６２を手動でオフにして電子作動部５のトレーニング可能状態をオフにする。なお、光センサタイプのスイッチでは蓋部２を閉じることによりオフになる。
【００２９】
本発明ＡＥＤトレーニング装置の上述の使用態様は、図３に示した動作フローにより確認することができる。すなわち、電子回路部５の電源スイッチがオン状態にあるとき、蓋部２を開くと（ステップＳ１）、この動作に連動してスイッチ６１がオンされて電子作動部５がトレーニング作動可能の状態になり（ステップＳ２）、ＬＥＤ５３が一瞬点灯して消えスピーカ５４から最初の指示音声（ガイド音声）が再生される（ステップＳ３）。なお、スイッチ６１に代えスイッチ６２を設けるとそのオン、オフは手動操作になる。先にも述べたようにスイッチ６１，６２に代わる光センサタイプのスイッチでは蓋部2の開閉で当該スイッチがオン、オフする。
使用者（トレーニング者）は、前記ガイド音声に従って、電極パッド３，４を、その保護フィルムｄを剥がし人体イラスト７の電極貼付位置８，９に貼りつける（ステップＳ４）。
【００３０】
上記パッド３，４の貼付位置８，９への貼付によって電子回路５１が前記パッド３と４の導電を検知すると（ステップＳ５）、次の指示音声がスピーカ５４から再生される（ステップＳ６）。使用者（トレーニング者）は前記指示音声に従って所定の動作をする。その状態は電子回路５１で計時されタイムアウトすると前記ＬＥＤ５３が点滅し始め同時に次のガイド音声がスピーカ５４で再生される（ステップＳ７）。使用者（トレーニング者）は、前記ガイド音声に従ってボタンスイッチ５５を押して電気ショックの付与トレーニングを行う（ステップＳ８）。
ボタンスイッチ５５を押して電気ショック付与のトレーニングが終了する（ステップＳ８）と、点滅していたＬＥＤ５３が消灯し、次のトレーニングである胸骨圧迫のガイド音声がスピーカ５４から再生されるから（ステップＳ９）、使用者（トレーニング者）はそれに従って疑似心臓体10を用いた胸骨圧迫のトレーニングをおこなう（ステップＳ１０）。このトレーニングについてはこの後に説明する。
【００３１】
実際のＡＥＤの使用においては、心肺停止の人体（傷病者）に電極バッドを貼ってＡＥＤによって心電図を調べ、該ＡＥＤによって電気ショックが必要と判断されたら、前記電極パッド経由で当該人体の心臓に電気ショックが付加される。しかる後に、実際の胸骨圧迫と人工呼吸とが行われる。
本発明トレーニング装置では、後述する疑似心臓体１０による胸骨圧迫のトレーニングが終了したら、電極パッド３と４を人体イラストＭｉから外し（ステップＳ１１）、蓋部２を閉じて（ステップＳ１２）スイッチ６１又は６２をオフにする（ステップＳ１３、スイッチ６２のオフは蓋部２を閉じる前である）。このオフは電源スイッチが設けられていない場合には電源もオフする。このとき外した前記パッド３，４は蓋部２のポケット２ｂに収容するなどして本発明トレーニング装置の格納をする。
【００３２】
上述したように本発明トレーニング装置の使用においても、上記の電気ショック付与に当るボタンスイッチ５５の操作（ステップＳ８）の後は、図４〜図７に例示した疑似心臓体１０によって胸骨圧迫のトレーニングを行うので、以下に本発明の疑似心臓体１０について説明する。
【００３３】
図７は本発明疑似心臓体１０の全体像を示しているが、該心臓体１０は、図４〜図６に示すように、３層の発泡体１１，１２，１３による本体と、この本体の中で中間層となる発泡体１２の中央部に形成した空間部１２ａに収装される図５，図６に例示した発音体１４とから形成されている。なお、中間層の発泡体１２の厚さは、発音体１４の厚さ（高さ、図５，６の上下方向）とほぼ同等に形成されている。本発明において、本体となる発泡体は単層又は二層（部分二層を含む）など発泡体を適宜の層構造に形成できる。ここで部分二層は、単層発泡体の上面又は下面から空間部１２ａを穿鑿（せんさく）形成して発音体１４を収容し当該空間部１２ａを発泡体で塞いだものをいう。
【００３４】
図５，図６に例示した発音体１４は、左右に置かれた２つの枕部材１５ａ，１５ｂと、凹面を対向させた状態で前記左右の枕部材１５ａ，１５ｂの上下面に架設形態で配置された、断面が浅い凹円弧状の２本の鋼帯１６（一般名称はコンベックスや凹面テープと称されている）であって当該鋼帯１６の外面を軟質プラスチック系等の被覆層１６ａで被覆した発音板材と、前記左右の枕部材１５ａ，１５ｂを被覆層１６ａを含む鋼帯１６をその端部の外面から被覆する左右の固定カバー１７ａ，１７ｂから成る。本発明の発音体１４の別例として、図示しないが、左右の枕部材１５ａと１５ｂの対向面をビーム（梁）状部材で結合一体化した結合型の枕部材を用いるものがある。また、図示した例では、一方の枕部材１５ａと固定カバー１７ａ、他方の枕部材１５ｂと固定カバー１７ｂは、それぞれ別部材で形成していたが、本発明では枕部材１５ａと固定カバー１７ａを、及び枕部材１５ｂと固定カバー１７ｂを、予め一体成型した部材を用いることができる。一体化した部材には前記発音板材を嵌め込む溝が形成されている。
【００３５】
上記構成の発音体１４を、前記中間層の発泡体１２に形成した空間部１２ａの内部に収め、この状態で当該発泡体１２の上，下面に、上位と下位の発泡体１１，１３を積層して三層の発泡体を一体化する。一体化の手法には、接着剤により各発泡体１１〜１３の上下面を接合する接着法や、三層の発泡体１１〜１３を接着しないで積層にしたまま積層状態の３つの発泡体１１〜１３の外形にぴったり合った外皮１０ａで被覆する方法、或は袋やケースに密に収納して一体化するケース収納法などがあり、本発明では適宜の一体化手法を採ることができる。
【００３６】
上記のように形成された疑似心臓体１０は、発泡体１１の側を上面にするか、又は、発泡体１３の側を上面にして図２の人体イラストＭｉの胸部の中央に置き、この心臓体１０の上にトレーニング者の両手の掌をそのかかと部分を重ねて置き、肘を伸ばしたまま真上から強く押し、押した後瞬時にその力を抜くという動作を繰り返す。この押し／解放の繰返し動作は、１００回／分以上の速さで行う胸骨圧迫のトレーニングに使用する。
【００３７】
実際の胸骨圧迫は、人の胸の略中央部分を真上から強く（成人の場合、胸の表面が５ｃｍ以上沈み込むまで）押して瞬時にその押している力を抜く、の圧迫動作を繰り返すのであるから、上記疑似心臓体１０を真上から強く押したとき、発泡体１１〜１３の全体が押されて発音体１４が発音（破裂音）する沈み込む量は、上記の５ｃｍ以上乃至その近傍のストローク量に設定している。
【００３８】
本発明の疑似心臓体１０は、上記ストローク量の押下げ動作によって発泡体１１〜１３が圧縮変形するとき、発泡体１２の空間部１２ａに収容抱持された発音体１４のコンベックス状の網帯１６がその断面形状の保持限界を超えた瞬間に瞬間的に変形し、押下げ力を抜くと瞬時に前記変形が戻り、その変形時と戻り時に「パコッ」という破裂音を発するから、トレーニング者の胸骨（疑似心臓体１０）の押下げと解放の動作（圧迫動作）が胸骨圧迫の動作要件を満たしたことを前記破裂音によって知得することができる。
【００３９】
以上に説明したように、本発明ではＡＥＤトレーニング装置によって恰も実際のＡＥＤの使用状態のような内容でＡＥＤの使用方法についてトレーニングすることができ、しかも実際においてもＡＥＤ使用の前後に施術される胸骨圧迫も本発明の疑似心臓体を用いてトレーニングできるから、心肺蘇生のトレーニングをＡＥＤの使用と胸骨圧迫について総合的に行うことができる。
上述した本発明ＡＥＤトレーニング装置と付属の疑似心臓体１０は、例えば、人体のイラストＭｉが描かれた人体イラストシート７を備えた袋状の格納容器やその他の形態の格納容器に収容されていて保管、運搬される。
【００４０】
以上のように本発明の疑似心臓体を付属するＡＥＤトレーニング装置は、学校等の公共施設や事業所等に広く設置されるようになったＡＥＤの使用方法を、実際の使用態様に則した高いリアリティを以てトレーニングすることができ、また、ＡＥＤの適用に連続して施術される胸骨圧迫のトレーニングもすることができるから、心肺蘇生のトレーニング装置としてきわめて実用的であって有用である。
【符号の説明】
【００４１】
１  本体部
２  蓋部
３，４  電極パッド
５  電子作動部
６１，６２  起動スイッチ
７  人体イラストシート
Ｍｉ  人体イラスト
８，９  電極貼付位置
１０  疑似心臓体
１１〜１３  発泡体
１４  発音体
【図１】
0006475001.tif 000002
【図２】
0006475001.tif 000003
【図３】
0006475001.tif 000004
【図４】
0006475001.tif 000005
【図５】
0006475001.tif 000006
【図６】
0006475001.tif 000007
【図７】
0006475001.tif 000008